(57)【要約】      （修正有）【課題】手袋の適用領域を区別し、適切な手袋を着用して作業できる色相環付き手袋を提供する。【解決手段】色相環付き手袋１は、手袋本体を含み、該手袋１はカフのビード巻に色相環状のマーク２が設けられ、該色相環状のマーク２は一本又は一本以上に設けられ、該色相環状のマーク２は異なる色、線形、パターン、または、厚さが異なるラインとする。【選択図】図１
0003213625.tif 000002
【実用新案登録請求の範囲】
【請求項１】
手袋を含み、該手袋はカフやビード巻に環状マークが設けられることで、該手袋の適用領域、段階やプログラムを区別することを特徴とする色相環付き手袋。
【請求項２】
前記環状マークには、識別するために一本又は一本以上に設けられることを特徴とする請求項１に記載の色相環付き手袋。
【請求項３】
前記環状マークには、識別するために色が設けられることを特徴とする請求項１に記載の色相環付き手袋。
【請求項４】
前記環状マークには、識別するために線形が設けられることを特徴とする請求項１に記載の色相環付き手袋。
【請求項５】
前記環状マークには、識別するためにパータンが設けられることを特徴とする請求項１に記載の色相環付き手袋。
【請求項６】
前記環状マークには、識別するために厚さが異なるラインが設けられることを特徴とする請求項１に記載の色相環付き手袋。
【考案の詳細な説明】
【技術分野】
【０００１】
本考案は手袋分野に属し、特に手袋のカフに環状マークを設けることで、手袋の適用領域を区別する識別構造に関する。
【背景技術】
【０００２】
洗浄作業をする作業者に対し、手袋は手近くにあり且つ必要なツールであるが、医者や看護師さんは特に、常時に手袋を着用する必要があり、汚染物、病原体を持つものに接触することは多いので、医者や看護師さんが接触物と隔離されることを確保し、医者や看護師さんの健康と安全を保護すべきである。
【０００３】
動作領域の差異により、各作業者が接触する物体も異なっているため、手袋を分類すべきであり、それにより異なる作業者の需要によって適切な手袋を提供し、異なる領域の作業者による混用から生じる汚染を避ける。
【０００４】
したがって、医療用手袋は使い捨て製品であるため、設計は相当にシンプルで、外観から識別しにくいことで、作業者が違う領域の手袋を着用しても、意識しがたく、安全に影響を与える問題を引き起こす。
【０００５】
そのため、作業者が着用しやすいために、医療用手袋に関連の識別用マークを設計すべき、且つ医療用手袋の特性により、この設計はシンプルで、容易に識別できる以上、着用と作業を妨げることはない。
【０００６】
そこから見ると、よく知られている医療用手袋の設計には、改善しなければならない顕著な問題は存在するので、よい設計とは言えない。このため、本考案の創作者は既知の医療用手袋の上記問題に鑑みした上、積極的に開発して改善し、且つ本業界に関する長期の作業経験と専門知識に頼り、長時間に研究して実施した後、遂に本考案の色相環付き手袋の構造を開発しあげた。
【考案の概要】
【考案が解決しようとする課題】
【０００７】
本考案の主要な目的は色相環付き手袋を提供することであり、それは手袋の識別度を向上させることで、ユーザが見るだけで直接に適切な手袋を判断して選択してから、安全で、迅速に作業できるようになる。本実用新案のもう一つの目的は手袋色相環を提供することであり、その設計はシンプルで、コストは低く、効果は強力的で、手袋の安全性を強化できる。
【課題を解決するための手段】
【０００８】
本考案に係る色相環付き手袋は、主に手袋を含み、且つ該手袋のカフに環状マークを設けることで、手袋の適用領域、段階やプログラムを区別する。該環状マークは一本又は一本以上に設けられればよく、異なる数という設計を経由して、異なる作業領域、段階やプログラムの作業者が使用するために手袋を区別し、該作業者は直接に該色相環状のマークを見るだけで適切な手袋を見つけてすぐ着用できる。
【０００９】
また、本考案に係る色相環付き手袋は、前記環状マークには異なる色を設計することで識別してもよい。
【００１０】
また、本考案に係る色相環付き手袋は、前記環状マークには異なる線形を設計することで識別してもよい。
【００１１】
また、本考案に係る色相環付き手袋は、前記環状マークには異なるパターンを設計することで識別してもよい。
【００１２】
また、本考案に係る色相環付き手袋は、前記環状マークには異なるラインの厚さを設計することで識別してもよい。
【００１３】
また、本考案に係る色相環付き手袋は、前記環状マークは前記各種類の識別方法を結合することで、区別効果を強化できる。
【考案の効果】
【００１４】
本考案はユーザが見るだけで直接に判断して適切なもの選択できる手袋を提供することにより、安全で、迅速な作業という目的に達成し、且つ設計がシンプルで、コストが低く、広く応用することに有利である。
【図面の簡単な説明】
【００１５】
【図１】色相環付き手袋の構造を示す立体図
【図２】色相環付き手袋の環状マークの数の変化を示す案内図
【図３】色相環付き手袋の環状マークの線形の変化を示す案内図
【図４】色相環付き手袋の環状マークのパターンの変化を示す案内図
【図５】色相環付き手袋の環状マークにおけるラインの厚さの変化を示す案内図
【考案を実施するための形態】
【００１６】
以下、本考案の実施の形態を図に基づいて説明する。
【００１７】
図１に示すように、本実施形態は色相環付き手袋１を提供し、手袋１本体を含み、該手袋１のカフに環状マーク２が設けられ、前記環状マーク２を用いて該手袋の異なる適用領域、段階やプログラムを区別する。例えば、事前に各動作領域に対して異なる環状マーク２を選択し、該領域のユーザに通知し、その後該ユーザはただ該手袋１における前記環状マーク２を見るだけで、適切な該手袋１を手軽に見つけて着用できるようになり、手袋の混用による汚染や感染という問題は発生しない。
【００１８】
図１、図２に示すように、少なくとも一本の前記環状マーク２が設けられ、動作領域、段階やプログラムの数によって異なる前記環状マーク２を設置し、異なる数の設計を利用し、異なる該動作領域、段階やプログラムの該作業者が着用するために手袋を区別する。
【００１９】
別の実施形態としては、図３に参照してください、前記環状マーク２には線形を設けて識別としてもよく、例えば実線、点線、折れ線など、異なる線形を用いて該動作領域、段階やプログラムを区別する。
【００２０】
あるいは、図４に参照してください、前記環状マーク２にはパターンを設けて識別してもよい。その他、図５に参照してください、該環状マーク２には厚さの異なるラインを設けて識別してもよい。当然として、該環状マーク２は前記各種類の識別方法を結合し、数、色、線形、パターン、厚さが異なっている該環状マーク２を相互に配置することで、より精細な区別効果が得られる。
【００２１】
上記詳細な説明は本実用新案に関する一つの実行可能な実施例に対する具体的な説明であるが、該実施例は本実用新案の特許範囲を制限しなく、本実用新案の技術精神から脱離しない同等な実施や変更は、全部本実用新案の特許範囲に含まれるべきである。  
【符号の説明】
【００２２】
１                手袋
２                環状マーク
【図１】
0003213625.tif 000003
【図２】
0003213625.tif 000004
【図３】
0003213625.tif 000005
【図４】
0003213625.tif 000006
【図５】
0003213625.tif 000007
【手続補正書】
【提出日】平成29年9月21日(2017.9.21)
【手続補正１】
【補正対象書類名】実用新案登録請求の範囲
【補正対象項目名】全文
【補正方法】変更
【補正の内容】
【実用新案登録請求の範囲】
【請求項１】
手袋を含み、該手袋はカフ又はカフに設けたビード巻部分に環状マークが設けられることで、該手袋の適用領域、段階やプログラムを区別することを特徴とする色相環付き手袋。
【請求項２】
前記環状マークには、識別するために一本又は一本以上に設けられることを特徴とする請求項１に記載の色相環付き手袋。
【請求項３】
前記環状マークには、識別するために色が設けられることを特徴とする請求項１に記載の色相環付き手袋。
【請求項４】
前記環状マークには、識別するために線形が設けられることを特徴とする請求項１に記載の色相環付き手袋。
【請求項５】
前記環状マークには、識別するためにパターンが設けられることを特徴とする請求項１に記載の色相環付き手袋。
【請求項６】
前記環状マークには、識別するために厚さが異なるラインが設けられることを特徴とする請求項１に記載の色相環付き手袋。